(57)【要約】  【課題】  簡易な構成による映像表示装置を備える受信システムを提供することを目的とする。  【解決手段】  受信装置３は、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４とを備える。これによって映像表示装置４には、デジタル信号処理のための映像音声処理ＩＣを実装する必要がなく、簡易な構成の映像表示装置を用いて受信システムを実現することができる。  【選択図】      図１
2007074613.tif 000002
【特許請求の範囲】
【請求項１】
アンテナで受信した高周波信号を受信して映像、音声信号に変換する受信装置であって、
アンテナから受信された高周波信号を中間周波数信号に変換するチューナー回路部と、
前記チューナー回路部から出力される中間周波数信号を圧縮されたデジタル信号に変換するデジタル復調部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、を備えており、
前記チューナ回路部が第１の基板上に配置され、
前記デジタル回路部と、前記デジタル復調部と、前記映像音声出力回路とが第２の基板上に配置され、
前記第１の基板と、前記第２の基板との間の信号パターンがジャンパー線で接続され、
装置外部に接する全面がシャーシに覆われることを特徴とする受信装置。
【請求項２】
前記チューナ回路部において変換された中間周波数信号を出力するＩＦ出力端子が、前記第１の基板においてアンテナから受信された高周波信号が前記チューナ回路部に入力されるチューナ入力端子が位置する辺と反対側の辺に配置されることを特徴とする請求項１に記載の受信装置。
【請求項３】
前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、
前記第２の基板層数と比較して、前記第１の基板が少ない層数で実装されていることを特徴とする請求項１または請求項２に記載の受信装置。
【請求項４】
前記第１の基板を２層基板とし、前記第２の基板を４層基板とすることを特徴とする請求項３に記載の受信装置。
【請求項５】
前記第１の基板と、前記第２の基板とが、第１のシールド板により分離されるとともに、前記第１の基板のアナログアースパターンと、前記第２の基板のデジタルアースパターンとが、シャーシに電気的に接続され、
各基板のアースパターンとシャーシとの半田接続が、基板の同一片面側で行われることを特徴とする請求項１〜請求項４に記載の受信装置。
【請求項６】
前記アースパターンとシャーシとの半田接続が、基板の裏面で行われることを特徴とする請求項５に記載の受信装置。
【請求項７】
前記アースパターンとシャーシとの半田接続が、各基板の全ての辺に対して行われることを特徴とする請求項５または請求項６に記載の受信装置。
【請求項８】
前記第１の基板と前記第２の基板との間の信号パターンを接続するジャンパー線が、基板の片面側において半田接続されることを特徴とする請求項１〜請求項７に記載の受信装置。
【請求項９】
前記第１の基板と前記第２の基板との間の信号パターンを接続するジャンパー線が、前記各基板のアースパターンとシャーシとの半田接続を行う基板面と同一の面で接続されることを特徴とする請求項８に記載の受信装置。
【請求項１０】
前記第２の基板において、
前記チューナ回路部、前記デジタル復調部、前記デジタル回路部、前記映像音声出力回路それぞれの入出力端子が、該基板上の一辺であって、アンテナから受信された高周波信号が前記チューナ回路部に入力されるチューナ入力端子に対してＬ字となる一辺に集中して配置されていることを特徴とする請求項１〜請求項９のいずれかに記載の受信装置。
【請求項１１】
前記第２の基板において、
前記チューナ回路部、前記デジタル復調部、前記デジタル回路部、前記映像音声出力回路それぞれの入出力端子と該基板との半田接続が、
前記各基板のアースパターンとシャーシとの半田接続が行われる面、および前記第１の基板と前記第２の基板とを接続するジャンパー線の半田接続が行われる面と同一面で行われることを特徴とする請求項１０に記載の受信装置。
【請求項１２】
デジタルおよびアナログ放送波を受信して、映像信号および音声信号に変換し、表示および出力する受信システムであって、
請求項１〜請求項１１のいずれかに記載の受信装置と、
前記受信装置から出力される映像信号に基づいて映像を表示し、あるいは音声信号に基づいて音声を出力する処理を行う映像表示装置と、を備える受信システム。
【発明の詳細な説明】
【技術分野】
【０００１】
本発明は、デジタルテレビジョン放送などの高周波信号を受信するための受信装置ならびに受信システムに関するものである。
【０００２】
図４は従来例の受信システムの概略的構成を示すブロック図である。図４に示される受信システム９００は、高周波信号を受信するアンテナ９０１と、アンテナ９０１で受信された信号に所定の処理を施して所望の信号を取得するための受信装置９０２と、受信装置９０２で取得された信号に所定の処理を施して映像信号ならびに音声信号を取り出す映像表示装置９０３とで構成される。
【０００３】
受信装置９０２は、アンテナ９０１で受信された高周波信号を中間周波数信号に変換するチューナー回路部９１１と、チューナー回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【０００４】
映像表示装置９０３は、受信装置９０２から与えられる圧縮されたデジタル信号からデジタル映像・音声信号に変換するデジタル回路部９２１と、デジタル回路部９２１から出力されるデジタル映像・音声信号をアナログの映像・音声信号に変換する映像音声出力回路９２２と、映像音声出力回路９２２から出力されるアナログの映像信号に基づいて映像を表示する処理を行う表示処理部９２３と、映像音声出力回路９２２から出力されるアナログの音声信号に基づいて音声を出力する処理を行う音声処理部９２４と、デジタル回路部９２１、映像音声出力回路９２２、表示処理部９２３および音声処理部９２４に動作用電源を与える電源部９２５と、を備える。また、デジタル回路部９２１は、圧縮されたデジタル信号から映像信号および音声信号を抽出するための映像音声処理ＩＣ９２８と、映像音声処理を行う際に一時的に処理データを格納する映像音声処理メモリ９２６と、受信装置の制御コードを格納するプログラム用メモリ９２７とを備える。
【特許文献１】特開２０００−６８６７３号公報
【発明の開示】
【発明が解決しようとする課題】
【０００５】
このような従来構成の受信システム９００は、受信装置９０２を電磁的に遮蔽するためにシールドで覆う一方、映像表示装置９０３の基板上に映像音声処理ＩＣ９２８、映像音声処理メモリ９２６、プログラム用メモリ９２７、映像音声出力回路９２２、表示処理部９２３、音声処理部９２４を実装しており、部品および配線数が多くなるため映像表示装置９０３の基板を多層基板にする必要があった。
【０００６】
また、映像表示装置９０３の基板上に実装される、映像音声処理ＩＣ９２８、映像音声処理メモリ９２６、プログラム用メモリ９２７、映像音声出力回路９２２、表示処理部９２３、音声処理部９２４から発生する不要輻射やノイズ対策を映像表示装置９０３上で行う必要があり、これに伴ってシールドを追加する必要があった。
【０００７】
さらには、映像表示装置９０３の基板上に実装される、映像音声処理ＩＣ９２８、映像音声処理メモリ９２６、プログラム用メモリ９２７、映像音声出力回路９２２、表示処理部９２３、音声処理部９２４からの発熱対策として、基板の面積を大きくしたり放熱板を追加する必要があった。
【０００８】
上記の問題点に鑑み、本発明は、簡易な構成による映像表示装置を備える受信システムを提供することを目的とする。
【課題を解決するための手段】
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナー回路部と、前記チューナー回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えており、前記チューナ回路部が第１の基板上に配置され、前記デジタル回路部と、前記デジタル復調部と、前記映像音声出力回路とが第２の基板上に配置され、前記第１の基板と、前記第２の基板との間の信号パターンがジャンパー線で接続され、装置外部に接する全面がシャーシに覆われることを特徴とする。
【００１０】
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。さらに、第１の基板からの信号出力用端子をシャーシ外部に持たない構成とすることができるため、受信装置外部からのチューナ回路部へのノイズの混入を防止し、チューナ回路部の性能を劣化させない効果がある。
【００１１】
また、例えば、前記チューナ回路部において変換された中間周波数信号を出力するＩＦ出力端子が、前記第１の基板においてアンテナから受信された高周波信号が前記チューナ回路部に入力されるチューナ入力端子が位置する辺と反対側の辺に配置される構成としても構わない。
【００１２】
このように構成されることで、第１の基板の出力端子と第２の基板との距離が短くなり、接続が容易になる。
【００１３】
また、例えば、前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、前記第２の基板層数と比較して、前記第１の基板が少ない層数で実装されていることを特徴とする。
【００１４】
このように、数十以上のピンを備えるＩＣパッケージを第２の基板に集中させることで、第１の基板は第２の基板と比較して層数を少なくすることができ、受信装置の製造コストを抑制することができる。なお、例えば、前記第１の基板を２層基板とし、前記第２の基板を４層基板とするものとしても構わない。
【００１５】
また、例えば、前記第１の基板と、前記第２の基板とが、第１のシールド板により分離されるとともに、前記第１の基板のアナログアースパターンと、前記第２の基板のデジタルアースパターンとが、シャーシに電気的に接続され、各基板のアースパターンとシャーシとの半田接続が、基板の同一片面側で行われる構成としても構わない。なお、このとき、前記アースパターンとシャーシとの半田接続が、基板の裏面で行われるものとして構わない。ここで基板の裏面とは、基板とフタとの距離が短い方の面、言い換えればシャーシ側面の高さが低い方の面を指す。
【００１６】
このように構成されることで、受信装置の製造工程において、シャーシと各基板のアースパターンとを接続する際に、基板を裏返す必要がなくなるため、製造工程の工数を削減する効果がある。
【００１７】
また、例えば、前記アースパターンとシャーシとの半田接続が各基板の全ての辺に対して行われる構成としても構わない。
【００１８】
このように構成されることで、シャーシとアースパターンとの間に接続点が増え、これによってインピーダンスを小さくする効果がある。
【００１９】
また、例えば、前記第１の基板と前記第２の基板との間の信号パターンを接続するジャンパー線が、基板の片面側において半田接続される構成としても良い。なお、この半田接続される面が、前記各基板のアースパターンとシャーシとを半田接続する面と同一の面で行われるものとしても良い。
【００２０】
このように構成されることで、受信装置の製造工程において、第１の基板と第２の基板とジャンバー線とを半田接続する際に、基板を裏返す必要がなくなるため、製造工程の工数を削減する効果がある。
【００２１】
また、例えば、前記第２の基板において、前記チューナ回路部、前記デジタル復調部、前記デジタル回路部、前記映像音声出力回路それぞれの入出力端子が、該基板上の一辺であって、アンテナから受信された高周波信号が前記チューナ回路部に入力されるチューナ入力端子に対してＬ字となる一辺に集中して配置されている構成としても構わない。
【００２２】
このように構成されることで、受信装置を寝かせた状態で映像表示装置に実装する場合と、入出力端子がある辺を軸にして立てた状態で受信装置に実装する場合とで、入出力端子のピンを曲げることのみで対応が可能となり、部品レイアウトなどの設計変更することなく、両方の実装態様に対応可能となる。
【００２３】
また、例えば、前記第２の基板において、前記チューナ回路部、前記デジタル復調部、前記デジタル回路部、前記映像音声出力回路それぞれの入出力端子と該基板との半田接続が、前記各基板のアースパターンとシャーシとの半田接続が行われる面、および前記第１の基板と前記第２の基板とを接続するジャンパー線の半田接続が行われる面と同一面で行われるものとしてもよい。
【００２４】
また、例えば、前記第１の基板および前記第２の基板は、シャーシ内に収められており、前記第１の基板のアナログアースパターンと、前記第２の基板のデジタルアースパターンとが、該シャーシに電気的に接続される構成としても構わない。
【００２５】
これにより、前記第１の基板と前記第２の基板とをジャンパー線で接続するために、両基板に備えられるコネクタをアース接続する必要がなくなるとともに、アナログアースとデジタルアースとの間のインピーダンスを小さく抑える効果がある。
【００２６】
また、前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備え、前記第２の基板において、前記映像音声処理用メモリを、前記第１の基板上に実装される前記チューナ回路部の位置と反対側の位置に配線し、前記映像音声処理ＩＣの裏面に配置する構成としても構わない。
【００２７】
これにより、従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。また、映像音声処理用メモリから発声するデジタルノイズを第１の基板上に配置されたチューナー回路部へ混入するのを防止して、チューナー回路部の性能劣化を防止する効果がある。
【００２８】
また、例えば、前記デジタル復調部が、ＩＦ信号をデジタル変換するための処理ＩＣであるデジタル復調ＩＣを備えており、前記第２の基板において、前記デジタル復調ＩＣと前記映像音声処理ＩＣとが、同じ実装面の離れた位置に配置されている構成としても構わない。
【００２９】
これにより、デジタル復調部が備えるデジタル復調ＩＣからの発熱と、デジタル回路部が備える映像音声処理ＩＣからの発熱とが分散される効果がある。
【００３０】
また、例えば、前記第２の基板において、前記デジタル復調ＩＣおよび前記映像音声処理ＩＣが、それぞれ熱伝導体を介してシャーシに接触される構成である構成としても構わない。
【００３１】
これにより、デジタル復調ＩＣからの発熱や映像音声処理ＩＣからの発熱が熱伝導体を通じてシャーシあるいは基板を覆うフタに放熱することができ、基板上の発熱を抑える効果がある。
【００３２】
また、例えば、前記第２の基板が多層基板であって、前記映像音声処理ＩＣと前記映像音声処理用メモリとの間の配線を内層パターン配置する構成としても構わない。
【００３３】
これにより、映像音声処理用メモリから発生する不要輻射を抑制する効果がある。
【００３４】
また、例えば、前記第２の基板が多層基板であって、前記映像音声処理ＩＣと前記デジタル復調ＩＣとの間の配線を内層パターン配置する構成としても構わない。
【００３５】
これにより、デジタル復調ＩＣから発生する不要輻射を抑制する効果がある。
【００３６】
また、例えば、前記第２の基板において、前記チューナ回路部、前記デジタル復調部、前記デジタル回路部、前記映像音声出力回路それぞれの入出力端子が該基板上の一辺に集中して配置される構成であるとしても構わない。
【００３７】
また、例えば、前記第２の基板において、前記映像音声出力回路の出力端子およびアース端子が前記第１の基板と反対側の位置に配置される構成であるとしても構わない。
【００３８】
これにより、第１の基板のチューナ回路部から発生する高周波ノイズが映像音声出力回路に混入するのを防止する効果がある。
【００３９】
また、例えば、前記第２の基板において、前記チューナ回路部において変換された中間周波数信号を出力するＩＦ出力端子が、前記第１の基板側に配置される構成としても構わない。
【００４０】
これにより、デジタル復調部あるいはデジタル回路部から発生するデジタルノイズが、チューナー回路部から出力される中間周波数信号に混入するのを防止する効果がある。
【００４１】
また、例えば、前記チューナ回路部、前記デジタル復調部、前記デジタル回路部、前記映像音声出力回路それぞれに電源を供給するための電源部を備えており、前記第２の基板において、前記電源部から前記チューナ回路部、前記デジタル復調部、前記デジタル回路部、前記映像音声出力回路に電源を供給するための電源端子それぞれが、前記映像音声出力回路の出力端子と、前記ＩＦ出力端子との間に配置される構成としても構わない。
【００４２】
また、例えば、前記第１の基板と、前記第２の基板とが、第１のシールド板により分離される構成であるとしても構わない。
【００４３】
これにより、第２の基板上のデジタル復調部やデジタル回路部から発生する電磁波が第１の基板上のチューナー回路部に混入するのを防止する効果がある。
【００４４】
また、前記第２の基板において、前記デジタル復調部と前記デジタル回路部とが、第２のシールド板により分離される構成であるとしても構わない。
【００４５】
これにより、デジタル回路部から発生する電磁波がデジタル復調部に混入するのを防止する効果がある。
【００４６】
また、本発明の受信システムは、デジタルおよびアナログ放送波を受信して、映像信号および音声信号に変換し、表示および出力する受信システムであって、上述の構成をした受信装置と、前記受信装置から出力される映像信号に基づいて映像を表示し、あるいは音声信号に基づいて音声を出力する処理を行う映像表示装置と、を備えることを特徴とする。
【発明の効果】
【００４７】
本発明の構成によれば、従来は映像表示装置に備えられていたデジタル回路部、映像音声出力回路を受信装置上に実装することで、映像表示装置を多層基板にすることなく、単層基板で実現することが可能となる。また、ジャンパー、コネクタピン、シャーシとアースパターンの半田接続面を統一することで、実装工数を減らすことができる。さらには、受信装置の変更をほとんどすることなく、映像表示装置に対する実装形態を変更することが可能となる。
【発明を実施するための最良の形態】
【００４８】
本発明の受信システムの構成について、図面を参照して説明する。図１は、本発明の受信システムの概略的構成を示すブロック図である。
【００４９】
図１に示される受信システム１は、高周波信号を受信するアンテナ２と、アンテナ２で受信された信号に所定の処理を施して映像信号と音声信号を取得するための受信装置３と、受信装置３から与えられる映像信号に基づいて映像を表示し、あるいは音声信号に基づいて音声を出力する処理を行う映像表示装置４とで構成される。なお、アンテナ２は同軸ケーブルを介して受信装置３のチューナ入力端子側に接続され、受信装置３のインターフェース端子側は映像表示装置４に接続される。
【００５０】
受信装置３は、アンテナ２で受信された高周波信号を中間周波数信号（以下、「ＩＦ信号」と称する）に変換するチューナー回路部１１と、チューナー回路部１１から出力されるＩＦ信号を圧縮されたデジタル信号に変換するデジタル復調部１２と、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、映像音声出力回路１４に動作用電源を与える電源部１５と、を備える。
【００５１】
なお、デジタル復調部１２は、ＩＦ信号をデジタル変換するための処理ＩＣであるデジタル復調ＩＣ２１を備える。また、デジタル回路部１３は、圧縮されたデジタル信号から映像信号および音声信号を抽出するための映像音声処理ＩＣ２４と、圧縮されたデジタルの映像信号、音声信号および復調したデジタルの映像信号、音声信号を保存する映像音声処理メモリ２２と、受信装置の制御コードを格納するプログラム用メモリ２３とを備える。また、チューナ回路部１１とデジタル復調ＩＣ２１とを制御するシリアル制御信号が映像音声処理ＩＣ２４に接続されている。
【００５２】
映像表示装置４は、受信装置３から与えられるアナログの映像信号に基づいて映像を表示する処理を行う表示処理部３１と、アナログの音声信号に基づいて音声を出力する処理を行う音声処理部３２と、表示処理部３１および音声処理部３２に動作用電源を与える電源部３３と、を備える。
【００５３】
図２は、図１における受信装置２の実装を示す模式図であり、図２（ａ）は、受信装置２を一方の面（表面）から見た状態を示しており、図２（ｂ）は受信装置２を他方の面（裏面）から見た状態を示している。
【００５４】
図２（ａ）に示すように、受信装置２は第１の基板５０と第２の基板６０による２基板で構成され、これらの基板の間には、第１のシールド板５１が挿入されることで電磁的に遮蔽されている。
【００５５】
第１の基板５０には、チューナ回路部１１が実装されている。また、この第１の基板５０は、シャーシ７０に取り付けられており、このチューナ回路部１１のアナログアースパターンがシャーシ７０に電気的に接続される。また、第１の基板５０には、チューナ入力端子５３が備えられ、アンテナ２で受信された高周波信号がこのチューナ入力端子５３よりチューナ回路部１１に入力される構成である。なお、このシャーシ７０には、表面、裏面にそれぞれフタが取り付けられており、第１の基板５０および第２の基板６０が、シールドで覆われている。
【００５６】
また第１の基板５０は、チューナ入力端子５３が設置される辺と反対側の辺に第１のコネクタ５４を備える。一方、第２の基板６０は、第１の基板５０側の辺に第２のコネクタ５５を備えており、これら第１のコネクタ５４と第２のコネクタ５５とがジャンパ６１によって電気的に接続される。このジャンパ６１は、すべて基板の片面（裏面）で接続される。
【００５７】
一方、第２の基板６０には、デジタル復調部１２と、デジタル回路部１３と、映像音声出力回路１４と、電源部１５とが実装されている。上述のように、この第２の基板６０は、第１の基板５０との間に設けられた第１のシールド板５１によって電磁的に遮蔽されている。
【００５８】
また、第２の基板６０は、基板の一辺に第３のコネクタ５６を備えており、この第３のコネクタ５６において、チューナ回路部１１の入出力端子の他、第２の基板に実装されているデジタル復調部１２、デジタル回路部１３、映像音声出力回路１４、電源部１５に関わる入出力端子がそれぞれ配線されている。また、第３のコネクタ５６の端子のうち、第１の基板５０寄りの端子にはチューナ回路１１のＩＦ出力端子が配置されており、このＩＦ出力端子からＩＦ信号が出力される。一方、第３のコネクタ５６のうち、第１の基板５０から離れた位置の端子には映像音声出力回路１４の出力端子およびそのアース端子が配置されている。
【００５９】
この第３のコネクタ５６は、第２の基板６０の一辺に集中して配置されており、具体的には、チューナ入力端子５３の軸に対してＬ字の方向となる一辺に配置される。
【００６０】
また、デジタル復調部１２とデジタル回路部１３とは第２のシールド板５２によって電磁的に遮蔽されている。一方で、第２の基板６０に多層基板を採用するとともに、デジタル復調部１２に備えられるデジタル復調ＩＣ２１と、デジタル回路部１３に備えられる映像音声処理ＩＣ２４とを電気的に接続する配線が内層パターン配置されている。これらの両ＩＣは、第２の基板６０の同一面の離れた位置にそれぞれ実装される。また、デジタル復調ＩＣ２１および映像音声処理ＩＣ２４は、それぞれのＩＣパッケージが熱伝導体を介してシャーシ７０と接触している。そして、このデジタル復調部１２とデジタル回路部１３のデジタルアースパターンがシャーシ７０に電気的に接続される構成である。
【００６１】
この第２の基板６０におけるデジタルアースパターンとシャーシ７０との接続、および上述の第１の基板５０におけるアナログアースパターンとシャーシ７０との接続が、全て基板の裏面で半田接続されることで行われる（図２中の半田接続８１〜８８に該当）。このとき、基板の裏面とは、基板とフタとの距離が小さい方の面を示し、言い換えればシャーシ側面の高さが低い方の面を示す。裏面に半田付けを行うことで、受信装置の製造工程において、半田付け装置および工具がシャーシ側面に接触する可能性を軽減し、高効率の実装の実現が可能となる。
【００６２】
このとき、図２に示すように、アースパターンとシャーシとの接続箇所を、第１の基板５０および第２の基板６０の１辺のみでなく、複数の辺で行う構成とする。このようにすることで、シャーシとアースパターンとの間に接続点が増え、接続インピーダンスを小さくすることが可能となる。図２では、基板のすべての辺において、半田付けを行う場合を示している。このようにすることで、さらに広範囲に効率的に接続点が増え、インピーダンスを小さくする効果を得ることができる。
【００６３】
このとき、上述のジャンパ６１を、半田付けと同様の面、すなわち裏面で行うことにより、ジャンパー線６１および各基板のアースパターンとシャーシ７０とを半田接続する際、基板を裏返す必要がなく、工数を削減することができる。
【００６４】
デジタル回路部１３は、一方の面（表面）に映像音声処理ＩＣ２４が実装され、他方の面（裏面）に映像音声処理用メモリ２２およびプログラム用メモリ２３が実装される構成である。そして、映像音声処理ＩＣ２４と、映像処理用メモリ２２およびプログラム用メモリ２３との間を電気的に接続する配線が内層パターン配置されている。
【００６５】
そして、チューナ回路部１１、デジタル復調部１２、デジタル回路部１３、映像音声出力回路１４それぞれの電源端子が、第３のコネクタ５６内の、映像音声出力回路１４の出力端子とチューナ回路部１１のＩＦ出力端子との間に配置されている。
【００６６】
このように構成されるとき、受信装置３の基板上に、デジタル回路部１３と映像音声出力回路１４とを実装することで、映像表示装置４は、受信装置３から入力される映像信号を表示する表示処理部３１と音声信号を音声出力する音声処理部３２を備えるのみでよく、多層基板にする必要がない。また従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。
【００６７】
そして、第１の基板５０は、数十以上の多数のピンを持つＩＣが搭載されていないため、映像音声処理ＩＣやデジタル復調ＩＣを備える第２の基板６０と比較して、基板の層数を少なくすることができる。たとえば、第１の基板５０を２層基板とし、第２の基板６０を４層基板とするものとして構わない。
【００６８】
また、受信装置３の基板上に実装されるデジタル復調ＩＣ２１および映像音声処理ＩＣ２４は、それぞれ熱伝導体を介してシャーシ７０に接続させることで、ＩＣパッケージの発熱対策を行う一方、映像表示装置内にはＩＣパッケージを備える必要がないため、基板の面積を広げる、あるいは放熱板を追加するなどの発熱対策を映像表示装置側で行う必要がない。
【００６９】
また、本発明の構成によれば、受信装置内で、アナログ回路で構成される第１の基板と、デジタル回路で構成される第２の基板とを分離されており、これによってデジタル復調部やデジタル回路部から発生されるデジタルノイズがチューナ回路部に混入するのを防止し、チューナ回路部の性能が劣化しない効果がある。
【００７０】
また、アナログアースパターンとデジタルアースパターンを、それぞれシャーシ７０に電気的に接続する構成とすることで、第１の基板に備えられる第１のコネクタと、第２の基板に備えられる第２のコネクタとにアース接続を行う必要がなく、また、アナログアース間とデジタルアース間のインピーダンスを抑制する効果がある。
【００７１】
また、第３のコネクタが第２の基板の一辺に実装され、このコネクタによって、チューナ回路部１１の入出力端子の他、第２の基板に実装されているデジタル復調部１２、デジタル回路部１３、映像音声出力回路１４、電源部１５に関わる入出力端子がそれぞれ配線されることで、映像表示装置側の配線設計が容易になる。
【００７２】
このとき、受信装置３と映像表示装置４との接続関係を概念的に図を利用して説明する。図３は図１に示される受信装置３と映像表示装置４の設置の方法を概念的に示した図である。図３（ａ）は、受信装置３が映像表示装置４上に立てて載置されるときの状態図であり、図３（ｂ）は、受信装置３が映像表示装置４上に寝かせて載置されるときの状態図である。
【００７３】
図３に示されるように、受信装置３を映像表示装置４上に立てて載置する場合には、第３のコネクタ５６と映像表示装置４とを接続するコネクタピン９１を直線とすればよく、一方、受信装置３を映像表示装置４上に寝かせて載置する場合には、第３のコネクタ５６と映像表示装置４とを接続するコネクタピン９２をＬ字に曲げて実装すればよい。すなわち、このように構成されることで、受信装置を寝かせた状態で映像表示装置に実装する場合と、入出力端子（すなわち第３のコネクタ５６）がある辺を軸に立てた状態で映像表示装置に実装する場合とにおいて、入出力端子のピンを曲げるのみで対応が可能であり、部品レイアウトなどの設計変更を行うことなく、どちらの実装方法にも対応可能になる。
【００７４】
また、第３のコネクタ５６のピンと第２の基板６０との半田接続は、片面（裏面）のみで行われるものとし、上述の各基板のアースパターンとシャーシ７０との半田接続を行う面および第１の基板５０と第２の基板６０とを接続するジャンパー線６１の半田接続を行う面と同一の面とする。これによって、受信装置の製造工程において、入出力端子と第２の基板６０の半田接続、および各基板のアースパターンとシャーシとの半田接続を行う際に、基板を裏返す必要がなく、工数を削減することができる。
【００７５】
そして、第３のコネクタ５６の端子のうち、第１の基板寄りの端子にはチューナ回路部１１のＩＦ出力端子が配置されており、このＩＦ出力端子からＩＦ信号が出力される。一方、第３のコネクタ５６のうち、第１の基板５０から離れた位置の端子には映像音声出力回路１４の出力端子およびそのアース端子が配置されている。このようにチューナ回路部の出力端子と映像音声出力回路の出力端子とを離して実装することで、チューナ回路部から発生する高周波ノイズが映像音声出力回路に混入するのを抑制する効果がある。また、逆に第２の基板上に実装されるデジタル復調部およびデジタル回路部から発生するデジタルノイズがチューナ回路部から出力されるＩＦ信号に混入するのを抑制する効果がある。
【００７６】
また、第１の基板と第２の基板とをシールド板で分離する構成とすることで、第２の基板に実装されるデジタル復調部およびデジタル回路部から発生する電磁波が、第１の基板側のチューナ回路部に混入するのを抑制する効果がある。
【００７７】
さらに、第２の基板において、デジタル復調部とデジタル回路部とをシールド板で分離する構成とすることで、デジタル回路部から発生する電磁波がデジタル復調部に混入するのを抑制する効果がある。
【００７８】
また、第２の基板において、デジタル復調部のデジタル復調ＩＣと、デジタル回路部の映像音声処理ＩＣを同じ実装面の離れた位置に配置することで、デジタル復調ＩＣの発熱と映像音声処理ＩＣの発熱とを分散する効果がある。さらに、これらの各ＩＣパッケージを、熱伝導体を介してシャーシ７０と接触させることで、シャーシ７０やフタに放熱することができ、これによって発熱を抑制する効果がある。
【産業上の利用可能性】
【００７９】
本発明の受信システムは、デジタルテレビジョン放送などを受信して受信映像を表示する受信システムに対して好適に利用され得る。
【図面の簡単な説明】
【００８０】
【図１】は、本発明の受信システムの概略的構成を示すブロック図である。
【図２】は、図１における受信装置３の実装を示す模式図である。
【図３】は、図１における受信装置３と映像表示装置４の設置の方法を概念的に示した図である。
【図４】は、従来構成の受信システムの概略的構成を示すブロック図である。
【符号の説明】
【００８１】
１    受信システム
２    アンテナ
３    受信装置
４    映像表示装置
１１    チューナ回路部
１２    デジタル復調部
１３    デジタル回路部
１４    映像音声出力回路
２１    デジタル復調ＩＣ
２２    映像音声処理メモリ
２３    プログラム用メモリ
２４    映像音声処理ＩＣ
３１    表示処理部
３２    音声処理部
３３    電源部
５０    第１の基板
５１    第１のシールド板
５２    第２のシールド板
５３    チューナ入力端子
５４    第１のコネクタ
５５    第２のコネクタ
５６    第３のコネクタ
６０    第２の基板
６１    ジャンパ
７０    シャーシ
８１〜８８  半田
９１    コネクタピン
９００    受信システム
９０１    アンテナ
９０２    受信装置
９０３    映像表示装置
９１１    チューナ回路部
９１２    デジタル復調部
９１４    デジタル復調ＩＣ
９２１    デジタル回路部
９２２    映像音声出力回路
９２３    音声処理部
９２４    表示処理部
９２５    電源部
９２６    映像音声処理メモリ
９２７    プログラム用メモリ
９２８    映像音声処理ＩＣ
【図１】
2007074613.tif 000003
【図２】
2007074613.tif 000004
【図３】
2007074613.tif 000005
【図４】
2007074613.tif 000006
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
アンテナで受信した高周波信号を受信して映像、音声信号に変換する受信装置であって、
アンテナから受信された高周波信号を中間周波数信号に変換するチューナ回路部と、
前記チューナ回路部から出力される中間周波数信号を圧縮されたデジタル信号に変換するデジタル復調部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、
を備え、
装置外部に接する全面がシャーシに覆われることを特徴とする受信装置。
【請求項２】
前記チューナ回路部が第１の基板上に配置され、
前記デジタル回路部と、前記デジタル復調部と、前記映像音声出力回路とが第２の基板上に配置され、
前記第１の基板と前記第２の基板との間を接続して、信号パターンの伝達を行う接続部を備えることを特徴とする請求項１に記載の受信装置。
【請求項３】
前記接続部がジャンパー線で構成されることを特徴とする請求項２に記載の受信装置。
【請求項４】
前記チューナ回路部において変換された中間周波数信号を出力するＩＦ出力端子が、前記第１の基板においてアンテナから受信された高周波信号が前記チューナ回路部に入力されるチューナ入力端子が位置する辺と反対側の辺に配置されることを特徴とする請求項２又は請求項３に記載の受信装置。
【請求項５】
前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、
前記第２の基板層数と比較して、前記第１の基板が少ない層数で実装されていることを特徴とする請求項２〜請求項４のいずれかに記載の受信装置。
【請求項６】
前記第１の基板を２層基板とし、前記第２の基板を４層基板とすることを特徴とする請求項５に記載の受信装置。
【請求項７】
前記第１の基板と、前記第２の基板とが、第１のシールド板により分離されるとともに、前記第１の基板のアナログアースパターンと、前記第２の基板のデジタルアースパターンとが、シャーシに電気的に接続され、
各基板のアースパターンとシャーシとの半田接続が、基板の同一片面側で行われることを特徴とする請求項２〜請求項６に記載の受信装置。
【請求項８】
前記アースパターンとシャーシとの半田接続が、基板の裏面で行われることを特徴とする請求項７に記載の受信装置。
【請求項９】
前記アースパターンとシャーシとの半田接続が、各基板の全ての辺に対して行われることを特徴とする請求項７又は請求項８に記載の受信装置。
【請求項１０】
前記第１の基板と前記第２の基板との間の信号パターンを接続するジャンパー線が、基板の片面側において半田接続されることを特徴とする請求項３〜請求項９に記載の受信装置。
【請求項１１】
前記第１の基板と前記第２の基板との間の信号パターンを接続するジャンパー線が、前記各基板のアースパターンとシャーシとの半田接続を行う基板面と同一の面で接続されることを特徴とする請求項１０に記載の受信装置。
【請求項１２】
前記第２の基板において、
前記チューナ回路部、前記デジタル復調部、前記デジタル回路部、前記映像音声出力回路それぞれの入出力端子が、該基板上の一辺であって、アンテナから受信された高周波信号が前記チューナ回路部に入力されるチューナ入力端子に対してＬ字となる一辺に集中して配置されていることを特徴とする請求項２〜請求項１１のいずれかに記載の受信装置。
【請求項１３】
前記第２の基板において、
前記チューナ回路部、前記デジタル復調部、前記デジタル回路部、前記映像音声出力回路それぞれの入出力端子と該基板との半田接続が、
前記各基板のアースパターンとシャーシとの半田接続が行われる面、および前記第１の基板と前記第２の基板とを接続するジャンパー線の半田接続が行われる面と同一面で行われることを特徴とする請求項１２に記載の受信装置。
【請求項１４】
デジタルおよびアナログ放送波を受信して、映像信号および音声信号に変換し、表示および出力する受信システムであって、
請求項１〜請求項１３のいずれかに記載の受信装置と、
前記受信装置から出力される映像信号に基づいて映像を表示し、あるいは音声信号に基づいて音声を出力する処理を行う映像表示装置と、を備える受信システム。
【手続補正２】
【補正対象書類名】明細書
【補正対象項目名】０００３
【補正方法】変更
【補正の内容】
【０００３】
受信装置９０２は、アンテナ９０１で受信された高周波信号を中間周波数信号に変換するチューナ回路部９１１と、チューナ回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【手続補正３】
【補正対象書類名】明細書
【補正対象項目名】０００９
【補正方法】変更
【補正の内容】
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備え、装置外部に接する全面がシャーシに覆われることを特徴とする。
【手続補正４】
【補正対象書類名】明細書
【補正対象項目名】００１０
【補正方法】変更
【補正の内容】
【００１０】
又、前記チューナ回路部が第１の基板上に配置され、前記デジタル回路部と、前記デジタル復調部と、前記映像音声出力回路とが第２の基板上に配置されるものとしても構わない。そして、前記第１の基板と、前記第２の基板との間の信号パターン接続する接続部を備え、更に、この接続部がジャンパー線で構成されるものとしても構わない。
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。さらに、第１の基板からの信号出力用端子をシャーシ外部に持たない構成とすることができるため、受信装置外部からのチューナ回路部へのノイズの混入を防止し、チューナ回路部の性能を劣化させない効果がある。
【手続補正５】
【補正対象書類名】明細書
【補正対象項目名】００２７
【補正方法】変更
【補正の内容】
【００２７】
これにより、従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。また、映像音声処理用メモリから発声するデジタルノイズを第１の基板上に配置されたチューナ回路部へ混入するのを防止して、チューナ回路部の性能劣化を防止する効果がある。
【手続補正６】
【補正対象書類名】明細書
【補正対象項目名】００４０
【補正方法】変更
【補正の内容】
【００４０】
これにより、デジタル復調部あるいはデジタル回路部から発生するデジタルノイズが、チューナ回路部から出力される中間周波数信号に混入するのを防止する効果がある。
【手続補正７】
【補正対象書類名】明細書
【補正対象項目名】００４３
【補正方法】変更
【補正の内容】
【００４３】
これにより、第２の基板上のデジタル復調部やデジタル回路部から発生する電磁波が第１の基板上のチューナ回路部に混入するのを防止する効果がある。
【手続補正８】
【補正対象書類名】明細書
【補正対象項目名】００５０
【補正方法】変更
【補正の内容】
【００５０】
受信装置３は、アンテナ２で受信された高周波信号を中間周波数信号（以下、「ＩＦ信号」と称する）に変換するチューナ回路部１１と、チューナ回路部１１から出力されるＩＦ信号を圧縮されたデジタル信号に変換するデジタル復調部１２と、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、映像音声出力回路１４に動作用電源を与える電源部１５と、を備える。